(57)【要約】      （修正有）【課題】使用上の安全性を確保し、より良好な効果を達成することが可能となる自動エンボッシングカレンダーを提供する。【解決手段】自動エンボッシングカレンダーは、エンボッシングローラー１、ローラー２および送電盤組３を備える。エンボッシングローラー１は、外周面に軸方向に沿って形成された第一長溝部１１と第二長溝部１２とを有する。二つの長溝部１１、１２は互いに対応する壁面の間のエンボッシングローラー１の内部を貫通し横断面が円弧状を呈する収容空間１３を有する。収容空間１３は複数のヒーター１４を収容し、ヒーター１４に生じる熱エネルギーを直接エンボッシングローラー１の表面の型板に伝導する。ローラー２は、外周面に軸方向に沿って形成された第三長溝部２１と第四長溝部２２とを有する。送電盤組３は、複数の導電盤および複数の感温盤を有する。【選択図】図１
0003144116.tif 000002
【実用新案登録請求の範囲】
【請求項１】
外周面に軸方向に沿って形成された第一長溝部と第二長溝部とを有するエンボッシングローラーであって、前記二つの長溝部は互いに対応する壁面の間のエンボッシングローラーの内部を貫通し横断面が円弧状を呈する収容空間を有し、前記収容空間は複数のヒーターを収容し、ヒーターに生じる熱エネルギーを直接エンボッシングローラーの表面の型板に伝導するエンボッシングローラーと、
外周面に軸方向に沿って形成された第三長溝部と第四長溝部とを有するローラーであって、前記第三長溝部は底面に接続される固定組を有し、前記固定組は第四長溝部からローラーの外周面を囲むマットを固定するローラーと、
前記エンボッシングローラーの一端に装着され、かつ複数の導電盤および複数の感温盤を有し、前記導電盤、前記感温盤および前記エンボッシングローラーは同軸であり、前記導電盤は導電棒を有し、前記感温盤は感温棒を有し、前記導電盤の前記接続棒と前記感温盤の前記接続棒とは前記エンボッシングローラーの中のヒーターに別々に接続され、前記導電盤および前記感温盤は両側に絶縁片を別々に有する送電盤組と、
を備えることを特徴とする自動エンボッシングカレンダー。
【請求項２】
前記ヒーターは、七層のマイカを積み重ねることによって形成され、前記ヒーターの周りはトタン板で被覆され、前記ヒーターは一定の距離を置いてエンボッシングローラーの中の前記収容空間に配置され、前記ヒーターは一端において前記導電盤の前記接続棒と前記感温盤の前記接続棒とに別々に接続される前記導電線と前記感温線を有し、
前記導電線と前記感温線とは、別の一端が前記ヒーターの内部の接点に接続され、前記接点は別の一端に均質に分布している支線に向かっていることを特徴とする請求項１に記載の自動エンボッシングカレンダー。
【請求項３】
前記導電盤と前記感温盤は、環状を呈することを特徴とする請求項１に記載の自動エンボッシングカレンダー。
【請求項４】
前記絶縁片は環状を呈し、かつ軸方向に沿って前記接続棒に対応して一定の距離を置いて配列される偶数の穿孔を有し、前記絶縁片は内周に前記導電盤と前記感温盤の内周に対応して突出する凸環部を有し、
前記凸環部は、前記絶縁片、前記導電盤および前記感温盤を接合し、
前記導電盤の前記接続棒および前記感温盤の前記接続棒は、前記絶縁片の前記穿孔を貫通することによって前記送電盤組の前記絶縁片、前記導電盤および前記感温盤を固定することを特徴とする請求項１に記載の自動エンボッシングカレンダー。
【請求項５】
前記固定組は、押し棒及び複数の押さえ部から構成され、
前記押し棒は、外周に複数の押さえ部を有し、
前記押さえ部は、前記第四長溝部から前記ローラーの外周面を経由して前記第三長溝部に入り込むマットを押さえて固定し、
前記マットの別の一端は、密封ユニットによって前記第三長溝部に対応する前記第四長溝部の壁面に固定されることを特徴とする請求項１に記載の自動エンボッシングカレンダー。
【請求項６】
前記導電盤および前記感温盤の周縁の頂部は、伝導ユニットの底部に別々に接続され、
前記伝導ユニットは、頂部に前記導電線と弾性ユニットを有することを特徴とする請求項１に記載の自動エンボッシングカレンダー。
【請求項７】
前記エンボッシングローラーの中の円弧状の前記収容空間は、開口端の壁面において前記密封ユニットを有し、
前記密封ユニットは複数の穿孔を有し、
固定ユニットは、前記穿孔を貫通して前記密封ユニットを前記第一長溝部の一側の壁面に固定することを特徴とする請求項１に記載の自動エンボッシングカレンダー。
【請求項８】
前記伝導ユニットは、頂部に前記導電線および前記弾性ユニットを有することを特徴とする請求項１に記載の自動エンボッシングカレンダー。
【請求項９】
前記伝導ユニットは、頂部に間隔を置いて形成された固定座を有し、
前記弾性ユニットは、頂部が前記固定座に固着されることを特徴とする請求項８に記載の自動エンボッシングカレンダー。
【請求項１０】
前記弾性ユニットは、圧縮スプリングであることを特徴とする請求項８に記載の自動エンボッシングカレンダー。
【考案の詳細な説明】
【技術分野】
【０００１】
本考案は、自動エンボッシングカレンダーに関し、特に複数の導電盤を有する送電盤によってヒーターを導電し、高温に至るまで短時間で加熱を行い、感温盤によってヒーターに接続し、エンボッシングローラーの表面の型板の温度を制御する自動エンボッシングカレンダーに関するものである。
【背景技術】
【０００２】
印刷技術は中国古代から発明されて以来、技術の進歩及び急速な発展に伴い、新たな展開を持続させ、かつ現代の平面メディアに求められる繊細な美観に応え、宣伝、販促効果を達成するため、加熱装置を有する自動エンボッシングプリンターによって型板を加熱し、様々な形、模様などを浮き出させてプリントし、凸凹立体の浮き彫りがある印刷物を構成し、かつエンボッシングされた印刷物の凸凹形、模様および色彩を定着することによって特殊な視覚効果を果たし、多くの消費者の注目を引くことが可能である。
【０００３】
図９に示すのは従来の自動エンボッシングプリンターの加熱構造である。そのうちの発熱可能な電熱層７と断熱可能な断熱層８とはプリンターのエンボッシングローラー６の内部かつエンボッシングローラー６の表面の近くに装着される。また、電熱層７は、絶縁片７１と表面７２との間に挟まっているＳ形のヒーター７３を有し、エンボッシングローラー６は、一端に電熱層７に電気エネルギーを持続的に供給可能な送電盤を有するため、電熱層７によってエンボッシングローラー６の表面に密着する型板に高温を供給し、凸凹模様を呈する印刷物をエンボッシングすることが可能である。一方、断熱層８の断熱によってエンボッシングローラー６は電熱層７の熱エネルギーを受けて高温状態を生成することがない。また電熱層７及び断熱層８を装着するための開口部は密封ユニット６１によって密封される。
【０００４】
しかしながら、エンボッシングローラー６の一端に装着される送電盤によって電熱層７に電気エネルギーを持続的に供給し、電熱層７のＳ形のヒーター７３によって電気エネルギーを伝導し、加熱を行う方法は２００℃以上の高温に達することができない。かつ電気エネルギーを増強すると送電設備に損害を与えてしまうだけでなく、厚さと材質が異なる印刷物のエンボッシング温度に応じ、エンボッシングローラー６の表面の型板の温度を確実に制御することができない。
【考案の開示】
【考案が解決しようとする課題】
【０００５】
本考案の主な目的は、上述した問題を解決するため、導電棒および導電線によって送電盤組の導電盤に生じる電気エネルギーをエンボッシングローラーの内部の複数のヒーターに伝導し、感温線および感温棒によってヒーターを感温盤に接続し、工作温度を出力し、かつ厚さや材質が異なる印刷物のエンボッシング温度などの様々な要求に応じ、エンボッシングローラーの表面の型板の温度を制御する。また、送電設備によって２００℃以上の高温に加熱するため比較的大きい電気エネルギーの供給を可能にするため、使用上の安全性を確保し、より良好な効果を達成することが可能となる自動エンボッシングカレンダーを提供することである。
【課題を解決するための手段】
【０００６】
上述の目的を達成するために、本考案による自動エンボッシングカレンダーは、エンボッシングローラー、ローラーおよび送電盤組を備える。
エンボッシングローラーは、外周面に軸方向に沿って形成された第一長溝部と第二長溝部とを有する。二つの長溝部は互いに対応する壁面の間のエンボッシングローラーの内部を貫通し横断面が円弧状を呈する収容空間を有する。収容空間は複数のヒーターを収容し、ヒーターに生じる熱エネルギーを直接エンボッシングローラーの表面の型板に伝導する。
【０００７】
ローラーは、外周面に軸方向に沿って形成された第三長溝部と第四長溝部とを有する。第三長溝部は底面に接続される固定組を有する。固定組は第四長溝部からローラーの外周面を囲むマットを固定する。
送電盤組は、複数の導電盤および複数の感温盤を有する。送電盤組はエンボッシングローラーの一端に装着され、導電盤、感温盤およびエンボッシングローラーは同軸であり、導電盤は導電棒を有し、感温盤は感温棒を有する。導電盤の接続棒と感温盤の接続棒はエンボッシングローラーの中のヒーターに別々に接続される。導電盤と感温盤は両側に絶縁片を別々に有する。
【考案を実施するための最良の形態】
【０００８】
以下、本発明の実施の形態を図面に基づいて説明する。
図１から図８に示した本考案の実施形態の構造は説明のための一例に過ぎないため、本考案の請求範囲を制限することができない。
（一実施形態）
本実施形態による自動エンボッシングカレンダーは、下記のものを備える。
【０００９】
図１に示すように、エンボッシングローラー１は、外周面に軸方向に沿って形成された第一長溝部１１と第二長溝部１２とを有する。二つの長溝部１１、１２は、互いに対応する壁面１１１、１２１の間のエンボッシングローラー１の内部を貫通し横断面が円弧状を呈する収容空間１３を有する。収容空間１３は、一定の距離で配列される複数のヒーター１４を収容し、ヒーター１４に生じる熱エネルギーを直接エンボッシングローラー１の表面の型板１５に伝導する。
図４に示すように、ヒーター１４は砕けたマイカからマイカ塊１４１を生成し、マイカ塊１４１を七層に積層することによって組成される。砕けたマイカは比較的高い電気的絶縁性と化学的安定性を有し、かつ高温状態下で前記良好な物理化学性を保持できるため、誘電材料となることが可能である。ヒーター１４の周りは、トタン板１４２で被覆される。ヒーター１４は、一定の距離を置いてエンボッシングローラー１の中の収容空間１３に配置される。ヒーター１４は、一端に導電線１４３と感温線１４４とを有する。図５に示すように、導電線１４３と感温線１４４とは、別の一端がヒーター１４の内部の接点１４５に接続される。接点１４５は、別の一端に均質に分布している支線１４６に向かっている。図２に示すように、エンボッシングローラー１は収容空間１３の開口端の壁面１１１において密封ユニット１６を有し、密封ユニット１６は複数の穿孔１６１を有し、固定ユニット１６２は穿孔１６１を貫通して密封ユニット１６を第一長溝部１１の一側の壁面１１１に固定する。
【００１０】
図１に示すように、ローラー２は、外周面に軸方向に沿って形成された第三長溝部２１と第四長溝部２２とを有する。第三長溝部２１は、底面２１１に接続される固定組２３を有する。固定組２３は、押し棒２３１及び複数の押さえ部２３２から構成される。押し棒２３１は外周に複数の押さえ部２３２を有し、押さえ部２３２は押し棒２３１の外周を囲み、かつその一端から外部に突出する押さえ部位２３２１を有する。図３に示すように、押さえ部位２３２１は、第四長溝部２２の壁面からローラー２の外周面を経由して第三長溝部２１に入り込む軟質ゴムで形成されたマット２４を押さえて固定する。第四長溝部２２の壁面のマット２４は、押さえ板２５によって固定される。図６に示すように、マット２４は、ローラー２の表面の弾性を増加させるため、エンボッシング対象物５に傷を付けることなく、エンボッシングローラー１とローラー２とにエンボッシング対象物５を挟む力を十分にすることが可能である。
【００１１】
送電盤組３は、図７に示すように複数の導電盤３１および複数の感温盤３２を有する。導電盤３１および感温盤３２は、環状を呈する。導電盤３１、感温盤３２およびエンボッシングローラー１は、軸心が同じである。導電盤３１は一側に導電棒３１１を有し、感温盤３２は一側に感温棒３２１を有する。導電盤３１の導電棒３１１はヒーター１４の導電線１４３に接続され、感温盤３２の感温棒３２１はヒーター１４の感温線１４４に接続される。導電盤３１と感温盤３２とは、両側に絶縁片３３を別々に有する。絶縁片３３は環状を呈し、かつ軸方向に沿って導電棒３１１と感温棒３２１に対応して一定の距離を置いて配列される偶数の穿孔３３１を有する。絶縁片３３は、内周に導電盤３１と感温盤３２との内周に対応して突出する凸環部３３２を有する。凸環部３３２は、絶縁片３３、導電盤３１および感温盤３２を接合する。本実施形態では、六つの導電盤３１と六つの感温盤３２とは送電盤組３の左右両側に交互に配置され、導電盤３１の導電棒３１１および感温盤３２の感温棒３２１は絶縁片３３の穿孔３３１を貫通し、送電盤組３の絶縁片３３、導電盤３１および感温盤３２を固定する。
【００１２】
上述した導電盤３１および感温盤３２は周縁の頂部が伝導ユニット４の底部に接続され、伝導ユニット４は頂部に間隔を置いて形成された固定座４１を有する。固定座４１は弾性ユニット４２の頂部を固着する。本実施形態では、弾性ユニット４２は圧縮スプリングであり、伝導ユニット４は頂部かつ側辺の近くにおいて図示しない加熱制御装置に接続される導線４３を有するため、熱エネルギーを２００℃±５℃に制御することが可能である。伝導ユニット４は、頂部の導線４３に対応して突き当たる圧縮スプリングを有する。
【００１３】
上述した通り、送電盤組３の導電盤３１は、導電棒３１１および導電線１４３によって電気エネルギーを複数のヒーター１４に伝導し、そののち支線１４６、マイカ塊１４１およびトタン板１４２によって短時間で熱エネルギーを２００℃±５℃に迅速に加熱し、さらにそれをエンボッシングローラー１の表面の型板１５に伝導する。ヒーター１４の感温線１４４は感温棒３２１に接続され、感知した工作温度を送信し、かつ厚さや材質が異なる印刷物のエンボッシング温度などの様々な要求に応じ、エンボッシングローラー１の表面の型板１５の温度を２００℃±５℃に保持し、かつ温度不足が発生した時、加熱を持続させ、温度が一定の温度に至ると加熱を自動的に停止させる。送電設備は温度を２００℃以上の高温に加熱するには比較的大きい電気エネルギーを供給するができるため、自動エンボッシングカレンダーを使用する際の安全性を確保することが可能となる。また本考案の構造の加熱温度は２００℃に達することが可能であるため、材質が比較的厚いプラスチックなどをエンボッシングし、エンボッシング対象物５に立体層状の視覚効果を与え、より良好な効果を達成することが可能となる。
【図面の簡単な説明】
【００１４】
【図１】本考案の一実施形態による自動エンボッシングカレンダーの分解斜視図である。
【図２】本考案の一実施形態によるエンボッシングローラーの断面図である。
【図３】本考案の一実施形態によるローラーの断面図である。
【図４】本考案の一実施形態によるヒーターの構造を示す模式図である。
【図５】本考案の一実施形態によるヒーターの構造を示す模式図である。
【図６】本考案の一実施形態の側面の部分的な構造を示す模式図である。
【図７】本考案の一実施形態における送電盤の分解斜視図である。
【図８】本考案の一実施形態におけるエンボッシングローラーおよび送電盤組の構造を示す平面図である。
【図９】従来の自動エンボッシングカレンダーの加熱構造を示す模式図である。
【符号の説明】
【００１５】
１：エンボッシングローラー、１１：第一長溝部、１１１：壁面、１２：第二長溝部、１２１：壁面、１３：収容空間、１４：ヒーター、１４１：マイカ塊、１４２：トタン板、１４３：導電線、１４４：感温線、１４５：接点、１４６：支線、１５：型板、１６：密封ユニット、１６１：穿孔、１６２：固定ユニット、２：ローラー、２１：第三長溝部、２１１：底面、２２第四長溝部、２３：固定組、２３１：押し棒、２３２：押さえ部、２３２１：押さえ部位、２４：マット、２５：押さえ板、３：送電盤組、３１：導電盤、３１１：導電棒、３２：感温盤、３２１：感温棒、３３：絶縁片、３３１：穿孔、３３２：凸環部、４：伝導ユニット、４１：固定座、４２：弾性ユニット、４３：導線、５：エンボッシング対象物。
【図１】
0003144116.tif 000003
【図２】
0003144116.tif 000004
【図３】
0003144116.tif 000005
【図４】
0003144116.tif 000006
【図５】
0003144116.tif 000007
【図６】
0003144116.tif 000008
【図７】
0003144116.tif 000009
【図８】
0003144116.tif 000010
【図９】
0003144116.tif 000011